(57)【要約】本開示は、移動端末及びカメラアセンブリを提供する。前記移動端末は、ハウジングと、カメラアセンブリとを含み、前記ハウジングのフレーム上にスルーホールが開設されており、前記カメラアセンブリは、カメラと、前記カメラを装着するためのブラケットと、モータと、プッシュプルロッドとを含み、前記モータは前記ハウジング上に固定されて、前記移動端末の回路基板に電気的に接続され、前記モータはネジ棒が設置されており、前記プッシュプルロッドの第１端は前記ネジ棒と嵌合するねじ管が設置されており、前記ねじ管は前記ネジ棒上に外嵌され、前記プッシュプルロッドの第２端は前記ブラケットに接続され、前記モータが駆動する時、前記ネジ棒は回動して、前記プッシュプルロッドを引っ張って前記ネジ棒に沿って前進又は後退させ、前記プッシュプルロッドは前記ブラケットを引っ張って移動させて、前記カメラが前記スルーホールを介して前記ハウジングから伸出するか又は前記ハウジングに引っ込めるようにする。
2020527916.tif 000002
【特許請求の範囲】
【請求項１】
移動端末であって、
ハウジングと、カメラアセンブリとを含み、
前記ハウジングのフレームにはスルーホールが開設されており、
前記カメラアセンブリは、カメラと、前記カメラを装着するためのブラケットと、モータと、プッシュプルロッドとを含み、
前記モータは、前記ハウジング上に固定されて前記移動端末の回路基板に電気的に接続され、
前記モータにはネジ棒が設置されており、前記プッシュプルロッドの第１端には前記ネジ棒と嵌合するねじ管が設置されており、前記ねじ管は前記ネジ棒に外嵌され、前記プッシュプルロッドの第２端は前記ブラケットに接続され、
前記モータが駆動する時、前記ネジ棒が回動して、前記プッシュプルロッドを前記ネジ棒に沿って前進又は後退させ、前記プッシュプルロッドが前記ブラケットを引っ張って移動させて、前記カメラが前記スルーホールを通して前記ハウジングから伸出するか又は前記ハウジングに引っ込めるようにすることを特徴とする移動端末。
【請求項２】
前記カメラアセンブリは、更に弾性部材を含み、前記弾性部材の一端が前記ブラケットに接続され、前記弾性部材の他端が前記プッシュプルロッドの第２端に接続されることを特徴とする請求項１に記載の移動端末。
【請求項３】
前記ブラケットには収容管が設置されており、前記収容管の側壁には前記収容管の軸方向に沿って貫通溝が開設されており、前記貫通溝は前記プッシュプルロッドに向けて設置され、前記収容管内に前記弾性部材が収容されており、前記プッシュプルロッドの第２端は前記弾性部材の端部と前記収容管の端壁の間に当接されることを特徴とする請求項２に記載の移動端末。
【請求項４】
前記弾性部材はスプリングであり、前記プッシュプルロッドの第２端は突起部が設置されており、前記突起部は前記スプリングの端部のキャビティ内に嵌め込んで設けられることを特徴とする請求項３に記載の移動端末。
【請求項５】
前記ハウジング上に前記スルーホールと繋がるガイドボックスが更に設置されており、前記モータが駆動する時、前記ブラケットは前記ガイドボックスに沿って摺動して、前記カメラが前記ガイドボックスから伸出するか又は前記ガイドボックスに引っ込めるようにすることを特徴とする請求項１乃至４のいずれか一項に記載の移動端末。
【請求項６】
前記ブラケットはリング状溝が更に設置されており、前記リング状溝内に密封環が埋め込んで設けられており、前記密封環と前記ガイドボックスの内壁とは密封嵌合されることを特徴とする請求項５に記載の移動端末。
【請求項７】
前記ハウジング上にガイドブロックが設置されており、前記ブラケットはガイドプレートが更に設置されており、前記ガイドプレート上にガイド溝が開設されており、前記ガイドブロックは前記ガイド溝内に埋め込まれることを特徴とする請求項１乃至４のいずれか一項に記載の移動端末。
【請求項８】
カメラアセンブリであって、
カメラと、前記カメラを装着するためのブラケットと、モータと、プッシュプルロッドとを含み、
前記モータはネジ棒が設置されており、前記プッシュプルロッドの第１端は前記ネジ棒と嵌合するねじ管が設置されており、前記ねじ管は前記ネジ棒上に外嵌され、前記プッシュプルロッドの第２端は前記ブラケットに接続され、
前記モータが駆動する時、前記ネジ棒は回動して、前記プッシュプルロッドを引っ張って前記ネジ棒に沿って前進又は後退させ、前記プッシュプルロッドは前記ブラケットを引っ張って移動させて、前記カメラを直線に沿って運動させることを特徴とするカメラアセンブリ。
【請求項９】
前記カメラアセンブリは弾性部材を更に含み、前記弾性部材の一端は前記ブラケットに接続され、前記弾性部材の他端は前記プッシュプルロッドの第２端に接続されることを特徴とする請求項８に記載のカメラアセンブリ。
【請求項１０】
前記ブラケットは収容管が設置されており、前記収容管の側壁は前記収容管の軸方向に沿って貫通溝が開設されており、前記貫通溝は前記プッシュプルロッドに向けて設置され、前記収容管内に前記弾性部材が収容されており、前記プッシュプルロッドの第２端は前記弾性部材の端部と前記収容管の端壁の間に当接されることを特徴とする請求項９に記載のカメラアセンブリ。
【請求項１１】
前記弾性部材はスプリングであり、前記プッシュプルロッドの第２端は突起部が設置されており、前記突起部は前記スプリングの端部のキャビティ内に嵌め込んで設けられることを特徴とする請求項１０に記載のカメラアセンブリ。
【請求項１２】
前記ブラケットはリング状溝が更に設置されており、前記リング状溝内に密封環が埋め込んで設けられていることを特徴とする請求項８乃至１１のいずれか一項に記載のカメラアセンブリ。
【発明の詳細な説明】
【技術分野】
【０００１】
本開示は、通信技術分野に関し、特に、移動端末及びカメラアセンブリに関する。
（関連出願の相互参照）
本出願は、２０１７年７月２１日に中国特許庁に提出された中国特許出願２０１７１０６０１２１９．０の優先権を主張し、その全ての内容が援用により本出願に取り込まれる。
【背景技術】
【０００２】
移動端末の発展及び進歩に伴い、移動端末のスクリーン対ボディ比を向上させるのは表示サイズ向上の主な発展趨勢となっている。
【０００３】
自撮り機能を実現するために、移動端末は一般的にいずれも前面カメラが設置されており、移動端末の表示画面領域にカメラ撮影ウィンドウを取って置くべきであるため、前面カメラは表示画面の表示領域を占用することになる。
【０００４】
関連技術において、前面カメラが表示領域を占用するという問題点を解決する方案としては、表示画面上に孔を開けることであるが、この場合、表示状態で、前面カメラの位置に一つの欠けが存在して正常に表示できず、表示画面の全体的な表示効果が損なわれることになる。これからわかるように、関連技術における移動端末には前面カメラが表示領域を占用するという問題点が存在する。
【発明の概要】
【課題を解決するための手段】
【０００５】
本開示は移動端末を提供する。前記移動端末は、ハウジングと、カメラアセンブリとを含み、前記ハウジングのフレームにはスルーホールが開設されており、前記カメラアセンブリは、カメラと、前記カメラを装着するためのブラケットと、モータと、プッシュプルロッドとを含み、前記モータは前記ハウジング上に固定されて前記移動端末の回路基板に電気的に接続され、前記モータにはネジ棒が設置されており、前記プッシュプルロッドの第１端には前記ネジ棒と嵌合するねじ管が設置されており、前記ねじ管は前記ネジ棒上に外嵌され、前記プッシュプルロッドの第２端は前記ブラケットに接続され、前記モータが駆動する時、前記ネジ棒は回動して、前記プッシュプルロッドを引っ張って前記ネジ棒に沿って前進又は後退させ、前記プッシュプルロッドが前記ブラケットを引っ張って移動させて、前記カメラが前記スルーホールを通して前記ハウジングから伸出するか又は前記ハウジングに引っ込めるようにする。
【０００６】
本開示の実施例は、カメラアセンブリを更に提供する。前記カメラアセンブリは、カメラと、前記カメラを装着するためのブラケットと、モータと、プッシュプルロッドとを含み、前記モータはネジ棒が設置されており、前記プッシュプルロッドの第１端は前記ネジ棒と嵌合するねじ管が設置されており、前記ねじ管は前記ネジ棒上に外嵌され、前記プッシュプルロッドの第２端は前記ブラケットに接続され、前記モータが駆動する時、前記ネジ棒は回動して、前記プッシュプルロッドを引っ張って前記ネジ棒に沿って前進又は後退させ、前記プッシュプルロッドが前記ブラケットを引っ張って移動させて、前記カメラを直線に沿って運動させる。
【０００７】
本開示の実施例の技術方案をより明瞭に説明するために、以下では、本開示の実施例の記述に使用されるべき図面を簡単に紹介することにする。以下の記述における図面は単に本開示の幾つかの実施例であり、本技術分野における通常の知識を有する者にとって、創造的労働をしないという前提で、これらの図面に基づいて他の図面を更に得ることができることは自明である。
【図面の簡単な説明】
【０００８】
【図１】関連技術における移動端末に前面カメラが設置されている構造概略図である。
【図２】本開示の実施例に係るカメラアセンブリの構造概略図（その１）である。
【図３】本開示の実施例に係るカメラアセンブリの構造概略図（その２）である。
【図４】本開示の実施例に係るカメラがハウジング内に引っ込める場合の構造概略図である。
【図５】本開示の実施例に係るカメラがハウジングの外に伸出する場合の構造概略図である。
【図６】本開示の実施例に係る移動端末表示領域の構造概略図である。
【図７】本開示の実施例に係る密封環付きのカメラアセンブリの構造概略図である。
【図８】本開示の実施例に係る密封環付きのカメラアセンブリの断面図である。
【発明を実施するための形態】
【０００９】
以下、本開示の実施例における図面と結び付けて本開示の実施例に係る技術方案を明瞭且つ完全に記述することにする。記述される実施例は本開示の一部の実施例であり、全部の実施例ではないことは自明である。本開示の実施例に基づいて、本技術分野における通常の知識を有する者により創造的労働をしないという前提で取得される他の実施例は全て本開示の保護範囲に属する。
【００１０】
図１に示すように、関連技術における移動端末の正面上方にカメラ撮影ウィンドウ１１を取って置くべきであり、即ち、移動端末表示画面上にフレーム領域１２を設置すべきであり、従って移動端末の表示領域１３が減少する。当該問題点に基づいて、本開示の実施例はカメラが表示領域を占用するという問題点を解決して、スクリーン対ボディ比向上を実現しようとする。以下、図面と結び付けて本開示の実施例を具体的に説明することにする。
【００１１】
図２乃至図５に示すように、本開示の実施例は、ハウジング２１と、カメラアセンブリ２２とを含む、移動端末を提供する。ハウジング２１のフレームにはスルーホール２１１が開設されている。カメラアセンブリ２２は、カメラ２２１と、カメラ２２１を装着するためのブラケット２２２と、モータ２２３と、プッシュプルロッド２２４とを含む。モータ２２３はハウジング２１上に固定されて移動端末の回路基板に電気的に接続される。モータ２２３にはネジ棒２２３１が設置されており、プッシュプルロッドの第１端２２４１にはネジ棒２２３１と嵌合するねじ管２２４２が設置されており、ねじ管２２４２はネジ棒２２３１上に外嵌され、プッシュプルロッドの第２端２２４３はブラケットに接続される。
【００１２】
モータ２２３が駆動する時、ネジ棒２２３１は回動して、プッシュプルロッド２２４を引っ張ってネジ棒２２３１に沿って前進又は後退させ、プッシュプルロッド２２４がブラケット２２２を引っ張って移動させて、カメラ２２１がスルーホール２１１を通してハウジング２１から伸出するか又はハウジング２１に引っ込めるようにする。
【００１３】
図４に示すように、図４はカメラ２２１が移動端末のハウジング２１内に位置する状態、即ちカメラ２２１がイネーブルされていない場合の状態を示す。
【００１４】
図５乃至図６に示すように、図５及び図６はいずれもカメラ２２１が移動端末のハウジング２１から伸出している状態、即ち、カメラ２２１がイネーブルされた場合の状態を示す。
【００１５】
モータ２２３の駆動電源の設置方式として、図３に示すように、モータ２２３のために単独的に駆動電源２２３２を設置しても良いし、移動端末のバッテリをモータ２２３の駆動電源としても良い。これに対して、本開示の実施例は限定しないことにする。
【００１６】
モータ２２３は、カメラ２２１が移動するように駆動する駆動部材として、移動端末の回路基板に電気的に接続されるべきであり、即ち、モータ２２３は移動端末プロセッサによる制御を受けるべきである。具体的に、移動端末上にモータ２２３を駆動するための駆動ボタンを設置しても良いし、移動端末上にのモータ２２３を駆動するための駆動キー又は駆動スイッチを設置しても良いし、なお、音声又はジェスチャー等の方式によってモータ２２３を駆動する形態等でもあり得る。
【００１７】
使用時、写真を撮影すべきである場合、モータ２２３を駆動し、モータ２２３はネジ棒２２３１を回動させ、ネジ棒２２３１はプッシュプルロッド２２４に伝動してプッシュプルロッド２２４をネジ棒２２３１に沿って前向きに移動させ、プッシュプルロッド２２４はブラケット２２２を押して外側に移動させて、カメラ２２１がハウジング２１の外に伸びるようにする。
【００１８】
写真撮影が完了した時、モータ２２３を駆動し、モータ２２３はネジ棒２２３１を逆回動させ、ネジ棒２２３１はプッシュプルロッド２２４に伝動してプッシュプルロッド２２４をネジ棒２２３１に沿って後ろ向きに移動させ、プッシュプルロッド２２４がブラケット２２２を引いて内側に移動させて、カメラ２２１がハウジング２１内に引っ込めるようにすることで、カメラ２２１の隠しを実現する。
【００１９】
本開示の実施例において、カメラ２２１は前面カメラであっても良いし、背面カメラであっても良いし、回転式カメラであっても良い。
【００２０】
本開示の実施例において、移動端末は、携帯電話、タブレットＰＣ、ノートパソコン、パームトップコンピュータ、ビデオカメラ、ナビゲーション装置、ウェアラブル機器、スマートブレスレット、歩数計等のような電子機器を含むが、これらに限定されない。
【００２１】
図６に示すように、カメラ２２１が前面カメラである場合、カメラ２２１は移動端末のハウジングのフレームから出入りすることができ、移動端末の表示領域２３を占める必要がなく、移動端末の表示領域２３はほとんど表示画面全体を覆い満たすことができる。
【００２２】
これから分かるように、本開示の実施例は、移動端末のスクリーン対ボディ比を向上でき、スクリーン対ボディ比を向上させることと前面カメラが表示領域を占用することの間の矛盾を効果的に解決する。本開示の実施例は写真撮影機能を満たすとともに、スクリーン対ボディ比の最大化を実現し、それと同時に、表示領域の完全性を確保する。
【００２３】
選択的に、図２乃至図５に示すように、カメラアセンブリ２２は、弾性部材２２５を更に含み、弾性部材２２５の一端はブラケット２２２に接続され、弾性部材２２５の他端はプッシュプルロッドの第２端２２４３に接続される。
【００２４】
写真を撮影する時、カメラ２２１は移動端末のハウジング２１の外に伸出した状態にあるが、この時、移動端末が落下する場合、カメラ２２１に衝撃を与えることになる。ブラケット２２２とプッシュプルロッド２２４とがハード接続方式を採用する場合、衝撃力は直接プッシュプルロッドに伝達されて、ネジ棒２２３１の変形を引き起こして、モータ２２３が失効し得る。
【００２５】
この問題点を改善するために、プッシュプルロッド２２４とブラケット２２２の接続を活動可能な接続にして良い。具体的に、ブラケット２２２とプッシュプルロッド２２４の間に緩衝用の弾性部材２２５を設置して良く、弾性部材２２５はスプリングであり得る。カメラ２２１が外力による衝撃を受ける時、弾性部材２２５は衝撃力を吸収でき、避免プッシュプルロッド２２４が直接的受力するのを回避し、従って下落によってモータ２２３が失効するという問題点を効果的に解決する。
【００２６】
選択的に、図２乃至図５に示すように、ブラケット２２２は収容管２２２１が設置されており、収容管２２２１の側壁は収容管２２２１の軸方向に沿って貫通溝２２２２が開設されており、貫通溝２２２２はプッシュプルロッド２２４に向けて設置され、収容管２２２１内に弾性部材２２５が収容されており、プッシュプルロッドの第２端２２４３は弾性部材２２５の端部と収容管２２２１の端壁の間に当接される。
【００２７】
本開示の実施形態において、弾性部材２２５を収容管２２２１に設置し、収容管２２２１は弾性部材２２５に対して限定作用を果たすことができ、従って弾性部材２２５が受力して折曲変形が起こるのを防止し、弾性部材２２５の安定性を向上させる。
【００２８】
選択的に、図２乃至図５に示すように、弾性部材２２５はスプリングであり、プッシュプルロッドの第２端２２４３は突起部２２４４が設置されており、突起部２２４４はスプリングの端部のキャビティ内に嵌め込んで設けられる。
【００２９】
プッシュプルロッドの第２端２２４３に突起部２２４４を設置するのは、プッシュプルロッドの第２端２２４３とスプリングの間の緊密さを増大させるのに有利であり、スプリングは突起部２２４４による制限を受けてシフトしにくく、プッシュプルロッドの第２端２２４３から逸脱しにくい。
【００３０】
選択的に、図４乃至図５に示すように、ハウジング２１上にスルーホール２１１と繋がるガイドボックス２１２が更に設置されており、モータ２２３が駆動する時、ブラケット２２２がガイドボックス２１２に沿って摺動して、カメラ２２１がガイドボックス２１２から伸出するか又はガイドボックス２１２に引っ込めるようにする。
【００３１】
カメラ２２１がより円滑にスルーホール２１１から伸出するか又はハウジング２１に引っ込めるようにするために、ハウジング２１上にガイドボックス２１２を設置して良く、この場合、カメラ２２１はガイドボックス２１２に沿って摺動できる。
【００３２】
選択的に、図７乃至図８に示すように、ブラケット２２２はリング状溝２２２３が更に設置されれおり、リング状溝２２２３内に密封環２２２４が埋め込んで設けられており、密封環２２２４とガイドボックス２１２の内壁とは密封嵌合される。
【００３３】
カメラ２２１はハウジング２１の外部に活動すべきであり、ハウジング２１フレーム上にスルーホール２１１を開設すべきあるため、スルーホール２１１の箇所には液体・埃が入るリスクがある。当該問題点を解決するために、本開示の実施形態は、ブラケット２２２上にリング状溝２２２３を設置し、リング状溝２２２３内に密封環２２２４埋め込んで設けて、液体・埃防止の効果を達成しようとする。
【００３４】
選択的に、図７乃至図８に示すように、リング状溝２２２３はカメラ２２１と収容管２２２１の間の位置に設置され、カメラ２２１がガイドボックス２１２に沿って摺動する過程において、密封環２２２４はガイドボックス２１２から逸脱しない。
【００３５】
上記の設置方式によって、カメラ２２１が活動すう過程において、密封環２２２４はずっとハウジング２１のガイドボックス２１２内で運動し、カメラ２２１が如何に移動するかに関わらず、いずれの場合においても密封を形成でき、従って全コースにおける液体・埃防止の目的を実現する。
【００３６】
選択的に、図４乃至図５に示すように、ハウジング２１上にガイドブロック２１３が設置されており、ブラケット２２２にガイドプレート２２２５が更に設置されており、ガイドプレート２２２５にはガイド溝２２２６が開設されており、ガイドブロック２１３はガイド溝２２２６内に埋め込まれる。
【００３７】
上記の設置方式によって、カメラ２２１はスルーホール２１１から伸出するか又はハウジング２１に引っ込め、ガイドブロック２１３のガイドを受け、摺動過程で摺動する経路から外れることなく、カメラ２２１の移動がより円滑で安定になる。
【００３８】
なお、図２乃至図８に示すように、本開示の実施例は、更に、メラアセンブリ２２に関する。前記メラアセンブリ２２は、カメラ２２１と、カメラ２２１を装着するためのブラケット２２２と、モータ２２３と、プッシュプルロッド２２４とを含む。モータ２２３にはネジ棒２２３１が設置されており、プッシュプルロッドの第１端２２４１にはネジ棒２２３１と嵌合するねじ管２２４２が設置されており、ねじ管２２４２はネジ棒２２３１上外嵌され、プッシュプルロッドの第２端２２４３はブラケット２２２に接続される。モータ２２３が駆動する時、ネジ棒２２３１は回動して、プッシュプルロッド２２４を引っ張ってネジ棒２２３１に沿って前進又は後退させ、プッシュプルロッド２２４がブラケット２２２を引っ張って移動させて、カメラ２２１を直線に沿って運動させる。
【００３９】
選択的に、カメラアセンブリ２２は更に弾性部材２２５を含み、弾性部材２２５の一端がブラケット２２２に接続され、弾性部材２２５の他端がプッシュプルロッド２２４の第２端に接続される。
【００４０】
選択的に、ブラケット２２２は収容管２２２１が設置されており、収容管２２２１の側壁は収容管２２２１の軸方向に沿って貫通溝２２２２が開設されており、貫通溝２２２２はプッシュプルロッド２２４に向けて設置され、収容管２２２１内に弾性部材２２５が収容されており、プッシュプルロッドの第２端２２４３は弾性部材２２５の端部と収容管２２２１の端壁の間に当接される。
【００４１】
選択的に、弾性部材２２５はスプリングであり、プッシュプルロッドの第２端２２４３は突起部２２４４が設置されており、突起部２２４４はスプリングの端部のキャビティ内に嵌め込んで設けられる。
【００４２】
選択的に、ブラケット２２２はリング状溝２２２３が更に設置されており、リング状溝２２２３内に密封環２２２４が埋め込んで設けられている。
【００４３】
本開示の実施例は、移動端末のスクリーン対ボディ比を向上でき、スクリーン対ボディ比を向上させることと前面カメラが表示領域を占用することの間の矛盾を効果的に解決する。本開示の実施例は写真撮影機能を満たすとともに、スクリーン対ボディ比の最大化を実現し、それと同時に表示領域の完全性を確保する。
【００４４】
上記のものは単に本開示の具体的な実施形態であり、本開示の保護範囲はこれらに限らない。当該技術分野において通常の知識を有するいずれの者は、本開示に開示される技術範囲内で変化又は交替を容易に想到でき、これら変化又は交替は全て本開示の保護範囲以内に含まれるべきである。従って、本開示の保護範囲は特許請求の範囲の保護範囲を基準にするべきである。
【図１】
2020527916.tif 000003
【図２】
2020527916.tif 000004
【図３】
2020527916.tif 000005
【図４】
2020527916.tif 000006
【図５】
2020527916.tif 000007
【図６】
2020527916.tif 000008
【図７】
2020527916.tif 000009
【図８】
2020527916.tif 000010
【国際調査報告】
2020527916.tif 000011
2020527916.tif 000012
2020527916.tif 000013
2020527916.tif 000014
2020527916.tif 000015
2020527916.tif 000016